(57)【要約】【課題】人体の凹凸に合わせてサポートする場合に、様々な人に適用し易くすることを可能とするサポート具を提供する。【解決手段】枕本体２は、支持面１ａ側を反支持面１ｂ側に対して結合する部分的な結合部４ａと、支持面１ａに予め設定された膨出支持予定部７とを備え、支持面１ａ及び反支持面１ｂ間で結合部４ａの周りを移動する水の圧力を膨出支持予定部７に働かせて該圧力と枕本体２の張力とにより膨出支持形状を形成する頸椎支持部７０と、支持面１ａ及び反支持面１ｂ間で頸椎支持部７０に連通し頸椎支持部７０に対する相対的な圧縮で頸椎支持部７０側に向かう水の移動により圧力を発生させる後頭部支持部４０とを構成可能にすることを特徴とする。【選択図】  図１
2015196021.tif 000002
【特許請求の範囲】
【請求項１】
支持面及び反支持面間の閉じ空間に水などの非圧縮性流体を収容した伸縮性の袋体で形成され前記非圧縮性流体の圧力と前記袋体の張力とにより人体の一部を前記支持面で支えるサポート具であって、
前記袋体は、前記支持面側を前記反支持面側に対して結合する部分的な結合部と、  前記支持面に予め設定された膨出支持予定部とを備え、
前記支持面及び反支持面間で前記結合部の周りを移動する前記非圧縮性流体の圧力を前記膨出支持予定部に働かせて該圧力と前記袋体の張力とにより膨出支持形状を形成する膨出支持部と、前記支持面及び反支持面間で前記膨出支持部に連通し該膨出支持部に対する相対的な圧縮で前記膨出支持部側に向かう非圧縮性流体の移動により前記圧力を発生させる圧縮支持部とを構成可能にする、
ことを特徴とするサポート具。
【請求項２】
請求項1記載のサポート具であって、
前記非圧縮性流体を収容した袋体の支持面は、人体の頭部を支持するものであり、
前記非圧縮性流体を収容した袋体の支持面に、前記頭部を収容させる凹部を備え、
前記結合部は、前記凹部内に配置され、
前記圧縮支持部は、前記相対的な圧縮を前記頭部により行わせる後頭部支持部であり、
前記膨出支持部は、前記圧縮支持部に対し前記結合部を挟む前記凹部の両側に配置されて人体の頸椎を支持する膨出支持形状となる頸椎支持部である、
ことを特徴とするサポート具。
【請求項３】
請求項1又は２記載のサポート具であって、
前記膨出支持部は、前記頸椎支持部及び圧縮支持部が前記結合部を挟んで配置された方向に交差して前記凹部の両側に配置され人体の顎を支持する膨出支持形状となる顎支持部を備え、
前記凹部に乗せた頭部が横向きになることで前記顎支持部は人体の肩幅の高さに応じて高さを増すように膨出する、
ことを特徴とするサポート具。
【請求項４】
請求項1記載のサポート具であって、
前記非圧縮性流体を収容した袋体の支持面は、人体の臀部を支持するものであり、
前記非圧縮性流体を収容した袋体の支持面に、凹部を備え、
前記結合部は、前記凹部内に配置され、
前記圧縮支持部は、前記相対的な圧縮を着座した人の脚により行わせる脚支持部であり、
前記膨出支持部は、前記脚支持部に対し前記結合部を挟む前記凹部の両側に配置され人体の骨盤を支持して後傾を規制し前傾を誘発する膨出支持形状となる骨盤支持部である、
ことを特徴とするサポート具。
【請求項５】
請求項１〜４の何れか1項記載のサポート具であって、
前記支持面に予め設定された陥凹支持部を備えた、
ことを特徴とするサポート具。
【請求項６】
請求項１〜５の何れか1項記載のサポート具であって、
前記袋体の内部又は外部に空気袋を備えた、
ことを特徴とするサポート具。
【請求項７】
請求項１〜６の何れか1項記載のサポート具を構成する袋体であって、
前記結合部及び膨出支持予定部を備え、
前記非圧縮性流体を注入、排出可能な開閉自在な注入口を備えた、
ことを特徴とする袋体。
【発明の詳細な説明】
【技術分野】
【０００１】
本発明は、水などの非圧縮性流体を収容して人体の凹凸に合わせた支持を行うサポート具及びこのサポート具に用いる袋体に関する。
【背景技術】
【０００２】
従来のサポート具として、例えば特許文献1に記載の水枕がある。この水枕は、袋体に水を注入した状態において、略中央部に凹部が形成される構造となっている。
【０００３】
したがって、凹部により頭部を安定して支持させ、冷却効果を奏することもできる。
【０００４】
しかし、この種の構造では、頭部の安定支持はできるものの、頸椎等を同時に安定支持させることはできなかった。
【０００５】
これに対し、特許文献２に記載された人体工学枕がある。この人体工学枕は、上向きに横臥した状態（以下仰臥位とも記載する）や、横向きに横臥した状態（以下横臥位とも記載する）において頭部、首部に接する箇所に予め凹凸が形成され、頭部及び首部を支える面積を増大させることで頭部及び首部にかかる荷重を分散するものである。
【０００６】
しかし、予め凹凸を形成するものであるため、様々な人に適用することには無理があった。
【０００７】
また、座布団形態のサポート具においても、着座状態での骨盤の後傾を凹凸形状により規制し、着座姿勢を安定させることは可能である。
【０００８】
しかし、かかる場合も様々な人に適用するには同様の問題がある。
【０００９】
さらに、人体のその他の箇所をサポートするサポート具であっても、同様の問題が発生する。
【先行技術文献】
【特許文献】
【００１０】
【特許文献１】特開２００２−１７２１２８号公報
【特許文献２】特開平１１−２６６９８５号公報
【発明の概要】
【発明が解決しようとする課題】
【００１１】
解決しようとする問題点は、人体の凹凸に合わせてサポートする場合に、様々な人に適用するためには、無理があった点である。
【課題を解決するための手段】
【００１２】
本発明は、レオロジーを考慮し、人体の凹凸に合わせてサポートする場合に、様々な人に適用し易くすることを可能とするために、支持面及び反支持面間の閉じ空間に水などの非圧縮性流体を収容した伸縮性の袋体で形成され前記非圧縮性流体の圧力と前記袋体の張力とにより人体の一部を前記支持面で支えるサポート具であって、前記袋体は、前記支持面側を前記反支持面側に対して結合する部分的な結合部と、前記支持面に予め設定された膨出支持予定部とを備え、前記支持面及び反支持面間で前記結合部の周りを移動する前記非圧縮性流体の圧力を前記膨出支持予定部に働かせて該圧力と前記袋体の張力とにより膨出支持形状を形成する膨出支持部と、前記支持面及び反支持面間で前記膨出支持部に連通し該膨出支持部に対する相対的な圧縮で前記膨出支持部側に向かう非圧縮性流体の移動により前記圧力を発生させる圧縮支持部とを構成可能にすることを特徴とする。
【発明の効果】
【００１３】
本発明のサポート具は、非圧縮性流体の圧力を膨出支持予定部に働かせて袋体の張力とにより膨出支持形状を形成することができ、且つ袋体の伸縮性により多くの人の人体の凹凸に合わせた膨出支持形状を形成させて膨出支持部とすることができる。
【００１４】
このため、膨出支持部により様々な人の人体の凹凸に合わせて適正な支持を容易に行わせることができる。
【図面の簡単な説明】
【００１５】
【図１】（ａ）は、枕の平面図、（ｂ）は、同正面図である。（実施例１）
【図２】（ａ）は、図１（ａ）のＡ−Ａ線矢視断面図、（ｂ）は、図１（ａ）のＢ−Ｂ線矢視断面図である。（実施例１）
【図３】枕を仰臥位で使用した状態を示し、（ａ）は、平面図、（ｂ）は、（ａ）のＣ−Ｃ線矢視断面図である。（実施例１）
【図４】枕を横臥位で使用した状態を示し、（ａ）は、平面図、（ｂ）は、（ａ）のＤ−Ｄ線矢視断面図である。（実施例１）
【図５】（ａ）は、枕の底面図、（ｂ）は、同側面図である。（実施例２）
【図６】枕の側断面図である。（実施例３）
【図７】（ａ）は、枕の平面図、（ｂ）は、同底面図である。（実施例４）
【図８】（ａ）は、同正面図、（ｂ）は、同背面図である。（実施例４）
【図９】図７（ａ）のＥ−Ｅ線矢視断面図である。（実施例４）
【図１０】（ａ）は、枕の平面図、（ｂ）は、同底面図である。（実施例５）
【図１１】（ａ）は、同正面図、（ｂ）は、同背面図である。（実施例５）
【図１２】（ａ）は、図１０（ａ）のＦ−Ｆ線矢視断面図、（ｂ）は、図１０（ａ）のＧ−Ｇ線矢視断面図、（ｃ）は、空気袋の平面図である。（実施例５）
【図１３】（ａ）は、座布団の平面図、（ｂ）は、図１３（ａ）のＨ−Ｈ線矢視断面図である。（実施例６）
【図１４】（ａ）は、図１３（ａ）のＩ−Ｉ線矢視断面図、（ｂ）は、図１３（ａ）のＪ−Ｊ線矢視断面図である。（実施例６）
【図１５】（ａ）は、実施例の座布団に着座し脚を延ばした時の使用者の骨盤の状態を示す説明図、（ｂ）は、実施例以外の通常の着座により脚を延ばした時の使用者の骨盤の後傾状態を示す説明図である。（実施例６）
【図１６】（ａ）は、実施例以外の通常の着座により脚を曲げた時の使用者の骨盤の状態を示す説明図、（ｂ）は、起立時の使用者の骨盤の状態を示す説明図である。（実施例６）
【図１７】（ａ）は、座布団の平面図、（ｂ）は、図１７（ａ）のＫ−Ｋ線矢視断面図である。（実施例７）
【図１８】座布団の平面図である。。（実施例７）
【図１９】（ａ）は、図１８のＡ−Ａ線矢視断面図、（ｂ）は、図１８のＢ−Ｂ線矢視断面図である。（実施例７）
【発明を実施するための形態】
【００１６】
人体の凹凸に合わせてサポートする場合に、様々な人に適用し易くすることを可能にするという目的を、支持面及び反支持面間の閉じ空間に水などの非圧縮性流体を収容した伸縮性の袋体で形成され前記非圧縮性流体の圧力と前記袋体の張力とにより人体の一部を前記支持面で支えるサポート具であって、前記袋体は、前記支持面側を前記反支持面側に対して結合する部分的な結合部と、前記支持面に予め設定された膨出支持予定部とを備え、前記支持面及び反支持面間で前記結合部の周りを移動する前記非圧縮性流体の圧力を前記膨出支持予定部に働かせて該圧力と前記袋体の張力とにより膨出支持形状を形成する膨出支持部と、前記支持面及び反支持面間で前記膨出支持部に連通し該膨出支持部に対する相対的な圧縮で前記膨出支持部側に向かう非圧縮性流体の移動により前記圧力を発生させる圧縮支持部とを構成可能にすることにより実現した。
【００１７】
前記非圧縮性流体を収容した袋体の支持面は、人体の頭部を支持するものであり、前記非圧縮性流体を収容した袋体の支持面に、前記頭部を収容させる凹部を備え、前記結合部は、前記凹部内に配置され、前記圧縮支持部は、前記相対的な圧縮を前記頭部により行わせる後頭部支持部であり、前記膨出支持部は、前記圧縮支持部に対し前記結合部を挟む前記凹部の両側に配置されて人体の頸椎を支持する膨出支持形状となる頸椎支持部であってもよい。
【００１８】
前記膨出支持部は、前記頸椎支持部及び圧縮支持部が前記結合部を挟んで配置された方向に交差して前記凹部の両側に配置され人体の顎を支持する膨出支持形状となる顎支持部を備え、前記凹部に乗せた頭部が横向きになることで前記顎支持部は人体の肩幅に合わせて頸部が側屈（頭が落下しない高さ）しない肩幅に応じた高さに合わせて高さを増すように膨出してもよい。
【００１９】
前記非圧縮性流体を収容した袋体の支持面は、人体の臀部を支持するものであり、前記非圧縮性流体を収容した袋体の支持面に、凹部を備え、前記結合部は、前記凹部内に配置され、前記圧縮支持部は、前記相対的な圧縮を着座した人の脚により行わせる脚支持部であり、前記膨出支持部は、前記脚支持部に対し前記結合部を挟んで配置され人体の骨盤を支持して後傾を規制し前傾を誘発する膨出支持形状となる骨盤支持部であってもよい。
【００２０】
前記袋体の内部又は外部に空気袋を備えてもよい。
【００２１】
サポート具を構成する袋体であって、前記結合部及び膨出支持予定部を備え、前記非圧縮性流体を注入、排出可能な開閉自在な注入口を備えた。
【実施例１】
【００２２】
［枕の構造］
図１（ａ）は、枕の平面図、（ｂ）は、同正面図、図２（ａ）は、図１（ａ）のＡ−Ａ線矢視断面図、（ｂ）は、図１（ａ）のＢ−Ｂ線矢視断面図、図３は、枕を仰臥位で使用した状態を示し、（ａ）は、平面図、（ｂ）は、（ａ）のＣ−Ｃ線矢視断面図である。なお、以下の説明において、仰臥位の使用者の頭部が正しく載置された状態で使用者の頭頂方向を枕の先端方向、使用者の首方向を同基端方向、使用者の左右方向が同左右方向を意味する。
【００２３】
図１〜図３のように、サポート具は、枕1として構成されている。枕１は、支持面１ａ及び反支持面１ｂ間の閉じ空間に非圧縮性流体、例えば水を収容して立体形状となる袋体としての枕本体２を備えている。水を収容した枕本体２は、水の圧力と袋体の張力とにより人体の一部、すなわち使用者Ｕの頭部Ｈを支持面１ａ側で支持するものである。この枕本体２は、結合部４ａ及び第１の膨出支持予定部７を備え、水を注入、排出可能な注入口３を備えている。
【００２４】
枕本体２は、伸縮性の袋体であり、非透水性で伸縮性のある合成樹脂の膜材料で形成されている。伸縮性の膜材料としては、例えばアクリルゴム、ニトリルゴム、ウレタンゴム、ポリウレタンなどの合成ゴム膜材料が選択可能である。この膜材料は、比重が水と同じか近いものが採用されている。但し、枕本体２の膜材料は、第１の膨出支持予定部７に働く水の圧力により後述の膨出支持部を膨出形成できればよく、限定されるものではない。
【００２５】
結合部４ａは、支持面１ａ側と反支持面１ｂ側とを部分的に結合したものである。この結合部４ａは、枕本体２が支持面１ａ側を反支持面１ｂ側間で接着或いは溶着などによって円形状に結合されたものである。結合部４ａの内周側には通気孔８が貫通形成されている。
【００２６】
水を収容した枕本体２として説明すると、支持面１ａの略中央には、頭部Ｈを収容させる凹部である陥凹支持部として第１上面側凹部４を備えている。第１上面側凹部４は、頭部Ｈを中央部で圧を逃がしながら支持するように支持面１ａにおいて周囲より高さが低く形成されている。このため、第１上面側凹部４内に結合部４ａを備え、通気孔８が貫通形成されている。第１上面側凹部４の先端側には、第1の稜線部Ｒ１が形成されている。
【００２７】
第１上面側凹部４には、第２の稜線部Ｒ２を境に基端方向に向けて第２上面側凹部５が連成されている。第２上面側凹部５は、凹部形状を呈しながら第１上面側凹部４から第２の稜線部Ｒ２を超えて枕本体２の基端に向かう凸に湾曲しており、第２の稜線部Ｒ２周辺から第２上面側凹部５の底部にかけて前記第１の膨出支持予定部７が形成されている。第２上面側凹部５は、左右方向において凹状に形成され、第２の稜線部Ｒ２は、人体の頸椎に合わせて膨出形状となるために左右方向に若干凹状となっている。稜線部Ｒ２及びその周辺は、水を入れた状態で若干のたるみを備え、圧力により膨出し易いようになっている。
【００２８】
第１の膨出支持予定部７は、支持面１ａに予め設定されるものである。この第１の膨出支持予定部７は、非圧縮性流体の圧力を働かせて該圧力と枕本体２の張力とにより頸椎支持部７０を構成する。この頸椎支持部７０は、膨出支持形状を形成する膨出支持部として構成される。
【００２９】
この膨出支持部として頸椎支持部７０は、圧縮支持部としての後頭部支持部４０に対し第１上面側凹部４内の結合部４ａを挟んで配置されている。頸椎支持部７０は、支持面１ａ及び反支持面１ｂ間で結合部４ａの周りを移動する水の圧力を第１の膨出支持予定部７に働かせて該圧力と枕本体２の張力とにより膨出支持形状を形成する。
【００３０】
第１の膨出支持予定部７は、枕本体２の一部を予め特別な形状に設定すると共に材質の選定により膨出支持形状を形成するか、主に材質の選定により膨出支持形状を形成するかの選択ができる。膨出形成する箇所として頸椎支持部７０のみ他の部分に対して相対的に膨出変形し易く形成して第１の膨出支持予定部７とすることができる。
【００３１】
勿論、頸椎支持部７０を含めて全体的に膨出し易く形成する場合も、頸椎周辺の凹凸に合わせて頸椎支持部７０が形成されることになるので、第１の膨出支持予定部７を設定することを意味する。
【００３２】
結合部４ａの周りの水の移動は、頸椎支持部７０に対し後頭部支持部４０を頭部Ｈにより相対的に圧縮させることで行わせる。後頭部支持部４０は、第1の稜線部Ｒ１の存在により圧縮支持部として構成される。後頭部支持部４０は、支持面１ａ及び反支持面１ｂ間で頸椎支持部７０に連通している。頸椎支持部７０に対する後頭部支持部４０の相対的な圧縮で頸椎支持部７０側に向かう水の移動により第１の膨出支持予定部７に対する圧力を発生させる。
【００３３】
頸椎支持部７０の膨出の程度は、水の圧力と枕本体２の張力とにより決定される。この膨出で頸椎を支持する形状となる。なお、頸椎支持部７０は、頭部Ｈが乗らない時は形成されないが、図１、図２では便宜上符号を付している。
【００３４】
第１上面側凹部４の左右両側には、左右側の稜線部ＲＬ、ＲＲを介して上方に隆起する隆起部６が形成されている。稜線部ＲＬ、ＲＲは、図１の平面から見ると、結合部４ａに対応する部分で左右方向に湾曲が拡大し、先端側、基端側で漸次幅が狭くなるように構成されている。
【００３５】
隆起部６は、第２の稜線部Ｒ２の両側で支持面１ａに予め設定された第２の膨出支持予定部６ａを構成する。この第２の膨出支持予定部６ａは、水の圧力を働かせて該圧力と枕本体２の張力とにより膨出支持形状を形成する膨出支持部として顎支持部６０ａを構成する。
【００３６】
膨出支持部として顎支持部６０ａは、支持面１ａ及び反支持面１ｂ間で結合部４ａの周りを移動する水の圧力を第２の膨出支持予定部６ａに働かせて該圧力と枕本体２の張力とにより膨出支持形状を形成する。
【００３７】
第２の膨出支持予定部６ａは、枕本体２の一部を予め特別な形状に設定すると共に材質の選定により膨出支持形状を形成するか、主に材質の選定により膨出支持形状を形成するかの選択ができる。膨出形成する箇所として顎支持部６０ａのみ他の部分に対して相対的に膨出変形し易く形成して第２の膨出支持予定部６ａとすることができる。
【００３８】
勿論、顎支持部６０ａを含めて全体的に膨出し易く形成する場合も、顎周辺の凹凸に合わせて顎支持部６０ａが形成されることになるので、第２の膨出支持予定部６ａを設定することを意味する。
【００３９】
結合部４ａの周りの水の移動は、顎支持部６０ａに対し側頭部支持部６０ｂを頭部Ｈによりの相対的に圧縮させることで行わせる。側頭部支持部６０ｂは、左右側の稜線部ＲＬ、ＲＲの存在により圧縮支持部として構成される。側頭部支持部６０ｂは、支持面１ａ及び反支持面１ｂ間で顎支持部６０ａに連通している。顎支持部６０ａに対する側頭部支持部６０ｂの相対的な圧縮で頸支持部６０ｂ側に向かう水の移動により第２の膨出支持予定部６ａに対する圧力を発生させる。
【００４０】
顎支持部６０ａの膨出の程度は、水の圧力と枕本体２の張力とにより決定される。この膨出で、顎を支持する形状となる。また前記第１上面側凹部４に乗せた頭部Ｈが横向きになることで前記顎支持部６０ａが人体の肩幅に合わせて頸部部が側屈（頭が落下しない高さ）しない肩幅に応じた高さに合わせて高さを増すように膨出する。なお、顎支持部６０ａは、頭部Ｈが乗らない時は形成されないが、図１、図２では便宜上符号を付している。
【００４１】
前記結合部４ａは、枕本体２の反支持面１ｂよりも高い位置に配置されている。枕本体２の反支持面１ｂ側には、通気孔８の孔縁に向かってテーパー状となる凹部９が形成されている。なお、後述するように、枕本体２が床面ＧＬに置かれ、かつ使用者Ｕの頭部Ｈが載置された状態にあっては、反支持面１ｂ側の凹部９によって、通気孔８下方に床面ＧＬとの間の空隙が形成される（図３参照）。
【００４２】
前記注入口３は、第1の稜線部Ｒ１の下側で反支持面１ｂ側に配置されている。この注入口３は、キャップによって開閉自在となっている。
【００４３】
［頸椎支持部］
前記枕本体２内への水の注入は、ほぼ満杯となる程度に行われる。
【００４４】
図３に示すように、第１上面側凹部４において、上向きに横臥した仰臥位の使用者Ｕの後頭部が後頭部支持部４０の略全面に面接触して支持される。
【００４５】
この支持により、後頭部支持部４０が頭部Ｈにより圧縮され、支持面１ａ及び反支持面１ｂ間で結合部４ａの周りを水が移動し、この水の圧力が第１の膨出支持予定部７に働く。この第１の膨出支持予定部７に働く圧力と枕本体２の張力とにより膨出支持形状の頸椎支持部７０が形成される。頸椎支持部７０は、図１の頭部Ｈが存在しない状態の時よりも水の移動で膨張しており、使用者Ｕの頸椎の形状に応じて面接触の支持形態を形成する。
【００４６】
［顎支持部］
図４のように、使用者Ｕが横臥位になると、隆起部６の側頭部支持部６０ｂが頭部Ｈの側頭部により圧縮され、支持面１ａ及び反支持面１ｂ間で結合部４ａの周りを水が移動し、この水の圧力が第２の膨出支持予定部６ａに働く。この第２の膨出支持予定部６ａに働く圧力と枕本体２の張力とにより膨出支持形状の顎支持部６０ａが形成される。顎支持部６０ａは、図１の頭部Ｈが存在しない状態の時よりも水の移動で膨張しており、使用者Ｕの頬骨及び下顎骨の形状に応じて面接触の支持形態を形成する。
【００４７】
第１上面側凹部４に乗せた頭部Ｈが横向きになることで前記顎支持部６０ａは人体の肩幅に応じた高さに合わせて高さを増すように膨出する。
【００４８】
なお、本実施例において、枕本体２の後頭部支持部４０、顎支持部６０ａ、及び頸椎支持部７０を形成する第１、第２上面側凹部４、５、隆起部６は、いわゆる二次曲面の一部により構成されている。
【００４９】
これによって、使用者Ｕに対して該枕本体２の内圧をより均一にして面接触させることができる。例えば、水を入れた状態で使用前（頭部載置前）の後頭部支持部４０の表面は、主に錐面の一部により構成される。使用前における顎支持部６０の表面は、主に楕円面の一部により構成される。使用前における頸椎支持部７０の表面は、主に楕円柱面若しくは一葉双曲面の一部により構成される。
【００５０】
さらに、使用状態（頭部載置後）における枕本体２の後頭部支持部４０、顎支持部６０、及び頸椎支持部７０を構成する湾曲面の主要部も、二次曲面を部分的に含む形状になると考えられる。例えば、仰臥位において後頭部支持部４０の表面は、主に楕円放物面の一部により構成される。横臥位において顎支持部６０の表面は、主に二葉双曲面の一部により構成される。仰臥位において頸椎支持部７０の表面は、主に双曲放物面の一部により構成される。
【００５１】
使用状態における枕１は、前記使用者Ｕの頭部及び首部と床面ＧＬとの間に形成される該枕本体２の内空において常時、静水圧が発生するのに十分な量の水が介在する（通気孔８内に対応する部分は除く）。
【００５２】
さらに、使用者Ｕの頭部及び首部の自重により、該枕本体２の第１上面側凹部４を構成する伸縮性膜材料及び第２上面側凹部５の第１の膨出支持予定部７を構成する伸縮性膜材料及び隆起部６を構成する伸縮性膜材料のうち少なくともいずれかの一部には収縮方向への内部応力が発生した状態となる。このとき、該枕本体２は、使用者Ｕの姿勢変化等によっても枕１の反支持面１ｂは形状がほぼ維持されており、床面ＧＬに対して移動することなく安定保持される。
【００５３】
これに対して、使用者Ｕと枕本体２との接触部分は、使用者Ｕの姿勢変化に追従して即時変形し、使用者Ｕの姿勢が安定した際には使用者Ｕと接触する部位において静水圧が均等となり、伸縮性膜材料に張力が生じた状態を維持しつつ安定的に頭部を支持する。
【００５４】
また、いわゆるパスカルの原理に基づき、かかる使用者Ｕと接触する枕本体２の部分は、寝返り時の身体の動きや、あるいは呼吸時又はいびき時の胸郭等のわずかな動きに対して、即時に柔軟に変形する。
【００５５】
具体的には、仰臥位において人は呼吸時の胸郭の動きに連動して頸椎が僅かにしなる動きを示すが、そのしなり時に見られる、後頭部が枕本体２の第１上面側凹部４に向けて下降し、これに伴い頸椎が頸椎支持部７０に対して上昇するような動きの際にも、頸椎支持部７０に対応する部位へ円滑に水が即時に流動し、対応部位に適切に面接触して確実にこれらを支持する。
【００５６】
また、通気孔８が設けられることにより使用者Ｕの後頭部に対して通気が確保されるため、例えば寝返りに伴う通気孔８の開放の度に、後頭部周囲における輻射・対流が円滑になり、後頭部の発汗による不快感を防ぐことができる。
【００５７】
また、枕本体２に充填された水に使用者Ｕの後頭部や頸部から発生する熱が伝導されるため、該熱を好適に吸収することもできる。これにより、頭部におけるうつ熱の蓄積量を飛躍的に低減することができる。
【００５８】
さらには、頭部の最下端部が通気孔８内に配されることで、該最下端部が枕本体２あるいは床面ＧＬに対して非接触となると共に、該最下端部の周辺が枕本体２と面接触して第1上面側凹部４を構成する伸縮性膜材料によって頭部自身が吊持されるような状態となる。このため、頭部の表面に対する応力集中がより一層回避されることとなる。
【００５９】
本実施例においては、床面ＧＬから前記隆起部６の頂点までの高さＨ１は３０ｍｍ、床面ＧＬから前記通気孔８の中心までの高さＨ２は１５ｍｍとされ、Ｈ１：Ｈ２＝１：２とされている。最適な高さＨ１，Ｈ２は、個人差はあるが、概ねＨ１：Ｈ２＝２：１〜３：１であり、前記Ｈ２は１５ｍｍ以上６５ｍｍ以下の範囲内（子供用から大人用まで適用可）で適宜設定される。
【００６０】
上記範囲の寸法の枕１を使用した使用者Ｕは、仰臥位で使用した際にも横臥位で使用した際にも直立姿勢とほぼ同一の姿勢を保つことができる。また、横臥位にあっては、顔の中心軸線ＣＬを基準とした下顎の落下が阻止される。つまり、上記した条件を満たす寸法を選択することにより、最も安定した頭部位置を維持することができる形状が得られ、かつそれを保つのに十分な水量を確保した枕１を構成することが可能となる。
【００６１】
また、図１に示すように、前記通気孔８の中心を通通る枕本体２の中心線Ｌ上にあって、該通気孔８の中心から該枕本体２の先端までの距離Ｓ１、及び該通気孔８の中心から該枕本体２の基端までの距離Ｓ２は、Ｓ１≦Ｓ２であることが望ましい。
【００６２】
かかる構成とすることにより、枕本体２に水を注入したときに距離Ｓ２に対応する前記第１の膨出支持予定部７における床面ＧＬからの高さを、距離Ｓ１に対応する部位のなかで最も床面ＧＬから高い位置の高さに対して、それと等高あるいはそれよりも高く定めることが可能となる。
【実施例２】
【００６３】
図５は、実施例２に係り、（ａ）は、枕の底面図、（ｂ）は、同側面図である。なお、本実施例においても、基本的な構成は実施例１と同様であり、対応する構成部分に同符号を付し、重複した説明は省略する。
【００６４】
本実施例の枕１０は、実施例１の枕１の枕本体２の反支持面１ｂに、袋体１１が配設されてている。この袋体１１は、外縁が枕本体２に部分的に固着（接着或いは溶着）されている。この袋体１１には、注入口１１ａが設けられており、該注入口１１ａを介して空気が給排可能に注入される。
【００６５】
この枕１０は、袋体１１に注入された空気の量を変更することによって袋体１１の厚みが調整自在であり、これにより使用時における枕本体２の高さを微調節することができる。なお、空気に代えて水を注入するようにしてもよい。
空気を注入するときは、全体の重量を軽減することができる。
【実施例３】
【００６６】
図６は、実施例３に係る枕の側断面図である。なお、本実施例においても、基本的な構成は実施例１と同様であり、対応する構成部分に同符号を付し、重複した説明は省略する。
【００６７】
本実施例の枕２０は、枕本体２に袋体１２の端部が結合されている。袋体１２内には水又は氷水が注入されており、袋体１２が使用者Ｕの頭部側に折り返されることで、枕本体２に載置された使用者Ｕの頭部（例えば目頭）上に載置可能とされている。
【００６８】
この袋体１２を使用者Ｕの頭部上に載置することで使用者Ｕの頭部を冷却することができる。なお、該袋体１２の先端には、使用者Ｕの鼻が配置される切欠部が設けられていてもよい。
【実施例４】
【００６９】
図７〜図９は、実施例４に係り、図７（ａ）は、枕の平面図、（ｂ）は、同底面図、図８（ａ）は、同正面図、（ｂ）は、同背面図、図９は、図７（ａ）のＥ−Ｅ線矢視断面図である。なお、本実施例においても、基本的な構成は実施例１と同様であり、対応する構成部分に同符号を付し、重複した説明は省略する。
【００７０】
本実施例の枕９０は、実施例１の形状に対し、支持面１ａ、反支持面１ｂが略対称に形成され、反支持面１ｂに空気袋９０ａ、９０ｂ、９０ｃが形成されている。空気袋９０ａ、９０ｂ、９０ｃには、それぞれ空気袋キャップ９０ａａ、９０ｂａ、９０ｃａが設けられ、空気を個別に給排できるようになっている。空気袋９０ａ、９０ｂ、９０ｃの取り付けは、実施例２の袋体１１と同様である。
【００７１】
第1上面側凹部４側で結合部４ａの回りには、仕切シート９０ｄが設けられている。仕切シート９０ｂにより枕本体２内が主室２ｂ及び結合部４ａ回りの周回状の副室２ｃに区画されている。仕切シート９０ｄには、小孔９０ｄａが形成され、主室２ｂ及び副室２ｃ間の水の瞬間的な流通を規制している。
【００７２】
したがって、頸椎支持部７０や顎支持部６０ａの急激な圧縮に対しては抗力を発生させ、定状では水の流通を許容し、頸椎支持部７０や顎支持部６０ａの適正な膨出形状を形成させることができる。
【実施例５】
【００７３】
図１０〜図１２は、実施例５に係り、図１０（ａ）は、枕の平面図、（ｂ）は、同底面図、図１１（ａ）は、同正面図、（ｂ）は、同背面図、図１２（ａ）は、図１０（ａ）のＦ−Ｆ線矢視断面図、（ｂ）は、図１０（ａ）のＧ−Ｇ線矢視断面図、（ｃ）は、空気袋の底面図である。なお、本実施例においても、基本的な構成は実施例１と同様であり、対応する構成部分に同符号を付し、重複した説明は省略する。
【００７４】
本実施例の枕１００は、実施例１の形状に対し、支持面１ａ、反支持面１ｂが略対称に形成され、内部に図１２（ｃ）のような空気袋１０１が内包されたものである。
【００７５】
空気袋１０１の空気注入口１０１ａは、枕本体２の空気注入口２ａに連通接続され、空気注入口２ａは、キャップにより開閉自在となっている。
【００７６】
したがって、本実施例では、実施例２と同様の作用効果を奏することができる。
【００７７】
しかも、空気袋１０１は、枕１００内に内包されており、取り扱いが容易である。
【００７８】
なお、これまでに述べた枕１、１０、２０、９０、１００は、様々に変更が可能である。
【００７９】
例えば、枕本体２内を複数（例えば、中央、左右）の分室に区画形成し、分室ごとに水を適量だけ注入可能としてもよい。かかる構成とすることにより、各分室で水量を調整することにより、所要位置の高さをそれぞれ微調整することが可能となる。
【００８０】
また、枕本体２内に別体の袋体を挿入配置し、該袋体により空気室を構成してもよい。かかる構成とすることにより、枕本体２に注入すべき総水量を減らして枕本体２の所望の外観形状を確保することができ、水を注入した時の枕１，１０，２０、９０、１００の重量を小さくすることが可能となる。
【００８１】
また、前記袋体１１，１２を適宜組み合わせることも可能である。また、枕全体の形状寸法は、大人用、子供用などに応じて適宜設定可能である。また、袋本体２内には、氷を含む水やお湯を注入してもよいし、他のものを含む水を注入してもよい。
【実施例６】
【００８２】
図１３〜図１６は、実施例６に係り、図１３（ａ）は、座布団の平面図、（ｂ）は、図１３（ａ）のＨ−Ｈ線矢視断面図、図１４（ａ）は、図１３（ａ）のＩ−Ｉ線矢視断面図、（ｂ）は、図１３（ａ）のＪ−Ｊ線矢視断面図、図１５（ａ）は、実施例の座布団に着座し脚を延ばした時の使用者の骨盤の状態を示す説明図、（ｂ）は、実施例以外の通常の着座により脚を延ばした時の使用者の骨盤の状態を示す説明図、図１６（ａ）は、実施例以外の通常の着座により脚を曲げた時の使用者の骨盤の状態を示す説明図、（ｂ）は、起立時の使用者の骨盤の状態を示す説明図である。
【００８３】
なお、本実施例においても、基本的な概念は実施例１と同様である。以下の説明において、使用者の臀部側が座布団の基端側、大体部側が同先端側、使用者が着座して正面を向いた前後方向が前後方向、同左右方向が同左右方向を意味する。
【００８４】
本実施例は、サポート具を座布団２００として構成したものである。
【００８５】
座布団２００は、水を収容した袋体である座布団本体２０２が、人体の一部である臀部を支持するものである。この座布団２００は、結合部として中央の第１の結合部２０４ａ、その両側の第２、第３の結合部２０４ｂ、２０４ｃが形成され、全体的に着座するために支持面２０１ａ、反支持面２０１ｂ間の高さが着座に適した寸法で形成されている。
【００８６】
座布団２００は、支持面２０１ａ及び反支持面２０１ｂ間の閉じ空間に非圧縮性流体、例えば水を収容して座布団本体２０２が立体形状となる。この座布団本体２０２は、支持面２０１ａ及び反支持面２０１ｂ間が対称形状に形成されている。
【００８７】
水を収容した座布団本体２０２は、水の圧力と袋体の張力とにより使用者Ｕの臀部を支持面２０１ａ側で支持するものである。この座布団本体２０２は、前記第１〜第３の結合部２０４ａ、２０４ｂ、２０４ｃの他、膨出支持予定部２０７を備え、水を注入、排出可能な注入口２０３を備えている。
【００８８】
座布団本体２０２は、伸縮性の袋体であり、非透水性で伸縮性のある合成樹脂の膜材料で形成されている。伸縮性の膜材料としては、例えばアクリルゴム、ニトリルゴム、ウレタンゴム、ポリウレタンなどの合成ゴム膜材料が選択可能である。この膜材料は、比重が水と同じか近いものが採用されている。但し、座布団本体２０２の膜材料は、膨出支持予定部２０７に働く水の圧力により後述の膨出支持部を膨出形成できればよく、限定されるものではない。
【００８９】
第１の結合部２０４ａは、中央に小さな円形として形成され、第２の結合部２０４ｂは、第１の結合部２０４ａの左右に間隔を置いて前後方向に指向して形成され、第３の結合部２０４ｃは、第２の結合部２０４ｂの左右に間隔を置いて前後方向に指向して形成されている。第２、第３の結合部２０４ｂ、２０４ｃは、膨出支持予定部２０７側に屈曲している。
【００９０】
第１〜第３の結合部２０４ａ、２０４ｂ、２０４ｃは、支持面２０１ａ側と反支持面２０１ｂ側とを部分的に結合したものである。第１〜第３の結合部２０４ａ、２０４ｂ、２０４ｃは、座布団本体２０２が支持面２０１ａ側を反支持面２０１ｂ側間で接着或いは溶着などによって結合されたものである。
【００９１】
水を収容した座布団本体２０２として説明すると、支持面２０１ａの略中央とその両側には、凹部として第１上面側凹部２０４ｄ、２０４ｅ、２０４ｆを備えている。第１上面側凹部２０４ｄ、２０４ｅ、２０４ｆは、支持面２０１ａにおいて周囲より高さが低く形成されている。
【００９２】
第１上面側凹部２０４ｅ、２０４ｆは、第２、第３の結合部２０４ｂ、２０４ｃによる区画部２０２ａが、その両側の区画部２０２ｂに対して相対的に小さく形成され大腿部を支持し易いように形成されている。この第１上面側凹部２０４ｅ、２０４ｆ内に第２、第３の結合部２０４ｂ、２０４ｃが配置されている。第１上面側凹部２０４ｄは、中央部に配置され、区画部２０２ｂ間に形成されている。
【００９３】
座布団本体２０２の基端側には、隆起部２０６が形成されている。この隆起部２０６に前記膨出支持予定部２０７が、支持面２０１ａに予め設定されている。
この膨出支持予定部２０７は、境界２０７ａによりその他の部分である低位の第１上面側凹部２０４ｄ、２０４ｅ、２０４ｆ側に連続し、脚支持部２４０に対し第１〜第３の結合部２０４ａ、２０４ｂ、２０４ｃを挟んで配置されている。膨出支持予定部２０７は、図１３（ｂ）のように予め区画部２０２ｂよりも曲面状に大きく膨らみ区画部２０２ｂ側に曲面で下降傾斜するように形成されている。
【００９４】
膨出支持予定部２０７に水の移動によりさらに圧力を働かせて該圧力と座布団本体２０２の張力とにより人体の骨盤を支持して後傾を規制し前傾を誘発する骨盤支持部２７０を構成する。この骨盤支持部２７０は、膨出支持形状を形成する膨出支持部として構成される。なお、着座前には、水が満たされていても膨出支持予定部２０７に張力の上昇が無いように形成することもできる。
【００９５】
この膨出支持部として骨盤支持部２７０は、着座時に骨盤がその一部に乗る形態となり、前記のようにして膨出支持予定部２０７の座面を相対的に高くしている。骨盤支持部２７０は、圧縮支持部としての脚支持部２４０に対し第１上面側凹部２０４ｄ、２０４ｅ、２０４ｆ内の第１〜第３の結合部２０４ａ、２０４ｂ、２０４ｃを挟んで配置されている。この骨盤支持部２７０は、支持面２０１ａ及び反支持面２０１ｂ間で第１〜第３の結合部２０４ａ、２０４ｂ、２０４ｃの周りを移動する水の圧力を膨出支持予定部２０７に働かせて該圧力と座布団本体２０２の張力とにより膨出支持形状を形成する。
【００９６】
膨出支持予定部２７０は、座布団本体２０２の一部を予め特別な形状に設定すると共に材質の選定により膨出支持形状を形成するか、主に材質の選定により膨出支持形状を形成するかの選択ができる。膨出形成する箇所として骨盤支持部２７０のみ他の部分に対して相対的に膨出変形し易く形成して膨出支持予定部２７０とすることができる。
【００９７】
勿論、骨盤支持部２７０を含めて全体的に膨出し易く形成する場合も、骨盤周辺の凹凸に合わせて骨盤支持部２７０が形成されることになるので、膨出支持予定部２７０を設定することを意味する。
【００９８】
第１〜第３の結合部２０４ａ、２０４ｂ、２０４ｃの周りの水の移動は、骨盤支持部２７０に対し脚支持部２４０を大腿により相対的に圧縮することで行わせる。脚支持部２４０は、稜線部Ｓ３の存在により圧縮支持部として構成される。脚支持部２４０は、支持面２０１ａ及び反支持面２０１ｂ間で骨盤支持部２７０に連通している。骨盤支持部２７０に対する脚支持部２４０の相対的な圧縮で骨盤支持部２７０側に向かう水の移動により膨出支持予定部２０７に対する圧力を発生させる。
【００９９】
骨盤支持部２７０の膨出の程度は、水の圧力と座布団本体２０２の張力とにより決定され、骨盤を支持する形状となるように膨出する。なお、骨盤支持部２７０は、脚支持部２４０に大腿等が乗らない時は形成されないが、図１３では便宜上符号を付している。
【０１００】
第１〜第３の結合部２０４ａ、２０４ｂ、２０４ｃには、稜線部Ｓ３を境に先端方向に向けて第２上面側凹部２０５が連成されている。第２上面側凹部２０５の凹状の深さは、僅かである。第２上面側凹部２０５は、第１〜第３の結合部２０４ａ、２０４ｂ、２０４ｃから稜線部Ｓ３を超えて座布団本体２０２の先端に向かう凸に湾曲しており、稜線部Ｓ３周辺から第２上面側凹部５の底部にかけて脚支持部２４０が形成されている。第２上面側凹部２０５は、左右方向において凹状に形成され、稜線部Ｓ３は、人体の大腿に合わせて左右方向に若干凹状となっている。
【０１０１】
前記第１〜第３の結合部２０４ａ、２０４ｂ、２０４ｃは、座布団本体２０２の反支持面２０１ｂよりも高い位置に配置されている。
【０１０２】
前記注入口２０３は、稜線部Ｓ３の下側で反支持面２０１ｂ側に配置されている。この注入口２０３は、キャップによって開閉自在となっている。
［骨盤支持部］
前記座布団本体２０２内への水の注入は、ほぼ満杯となる程度に行われる。
【０１０３】
図１３、図１４において、座布団本体２０２への着座により、膨出支持予定部２０７の一部に殿部が乗る形態となる。
【０１０４】
この着座により、図１５（ａ）のように脚を伸ばすと、第１上面側凹部２０４ｅ、２０４ｆ上等に大腿が対応し、区画部２０２ａやその両側の区画部２０２ｂによって大腿部が面接触により支持され、且つ脚支持部２４０が大腿の前部側により圧縮される。なお、脚支持部２４０の圧縮は、下肢の移動や、胡坐をかいた時にも同様に行われる。つまり、使用時の脚支持部２４０の圧縮は、大腿部による形態には特に限定されるものではない。
【０１０５】
この圧縮により、支持面１ａ及び反支持面１ｂ間で第１〜第３の結合部２０４ａ、２０４ｂ、２０４ｃの周りを水が移動し、この水の圧力が膨出支持予定部２０７に働く。この膨出支持予定部２０７に働く圧力と座布団本体２０２の張力とにより膨出支持形状の骨盤支持部２７０が形成される。骨盤支持部２７０は、図１３の大腿が存在しない状態の時よりも水の移動で膨張しており、使用者Ｕの骨盤の形状に応じて隆起状面接触の支持形態を形成する。
【０１０６】
この支持により使用者Ｕの骨盤Ｐを支持して図１５（ｂ）のような後傾を規制し、図１６（ａ）の正しい着座姿勢、（ｂ）の正しい起立姿勢と同様な骨盤姿勢状態となるように、前傾姿勢で骨盤が相対的に高くなることを促すことができる。なお、図１５（ｂ）は、、通常の座布団に着座して脚を伸ばしてた場合について示している。この図１５（ｂ）の場合、脚を伸ばしても、脚支持部２４０の圧縮による水の移動は無く、骨盤支持部２７０は形成されず、骨盤Ｐの後傾は避けられない。なお、膨出支持予定部２０７は、座布団本体２０２の一部を予め特別な形状に設定すると共に材質の選定により膨出支持形状を形成するか、主に材質の選定により膨出支持形状を形成するかの選択ができる。膨出形成する箇所として骨盤支持部２７０のみ他の部分に対して相対的に膨出変形し易く形成して膨出支持予定部２０７とすることができる。
【０１０７】
勿論、骨盤支持部２７０を含めて全体的に膨出し易く形成する場合も、骨盤周辺の凹凸に合わせて骨盤支持部２７０が形成されることになるので、膨出支持予定部２０７を設定することを意味する。
【実施例７】
【０１０８】
図１７は、実施例７に係り、図１７（ａ）は、座布団の平面図、（ｂ）は、図１７（ａ）のＫ−Ｋ線矢視断面図である。なお、本実施例においても、基本的な構成は実施例６と同様であり、対応する構成部分に同符号を付し、重複した説明は省略する。
【０１０９】
本実施例の座布団３００は、平面から見てハート型で上下ほぼ対称に形成され、結合部２０４ａが中央部に一つ形成されている。
【０１１０】
第１上面側凹部２０４の左右両側には、上方に隆起する隆起部２０６が形成されている。支持面２０１ａ、反支持面２０１ｂは、結合部２０４ａに向かって湾曲状に形成されている。
【０１１１】
隆起部２０６は、左右両側で支持面２０１ａに予め設定された膨出支持予定部２０７を構成する。この膨出支持予定部２０７は、水の圧力を働かせて該圧力と座布団本体３００の張力とにより臀部支持部２７０を構成する。この臀部支持部２７０は、膨出支持形状を形成する膨出支持部として構成される。
【０１１２】
したがって、大腿を伸ばした時等、実施例６と同様な作用効果に加え、臀部支持部２７０が臀部の左右両側を支持することなり、また左右に体重移動する際、通常の座面では荷重した臀部と反対側に座面との空隙が発生するのに対し、本品は膨出支持部の形成により想定された荷重の動きによって空隙を消失させ非動側に面圧力を加えることになる。
なお、本実施例において、図１８、図１９のように、膨出支持予定部２０７内に左右の坐骨支持予定部を形成し、臀部支持部２７０の形成時に凹部２７０ａとなる領域を構成させることで坐骨の左右部を支持させるようにすることもできる。［その他］
前記水の注入口３は、頸椎支持部７０の下側等に配置することもできる。この場合、使用時に膨出形成される頸椎支持部７０等により注入口３の存在に係わらず違和感のない支持状態を維持させることができる。
【０１１３】
本発明のサポート具は、マフラ―、帽子、椅子の背もたれ、靴の中敷き等にも適用できる。例えば、水の自重でマフラ―、帽子、椅子の背もたれ、靴の中敷き等の一部が圧縮され予め設定した膨出支持形状を形成することができる。
【符号の説明】
【０１１４】
１ａ、２０１ａ  支持面
１ｂ、２０１ｂ  反支持面
２  枕本体（袋体）
４ａ  結合部
６ａ  第２の膨出支持予定部
７  第１の膨出支持予定部
４０  後頭部支持部（圧縮支持部）
７０  頸椎支持部（膨出支持部）
２００  座布団（サポート具）
２０２  座布団本体（袋体）
２０７  膨出支持予定部
２４０  脚支持部（圧縮支持部）
２７０  骨盤支持部（膨出支持部）
【図１】
2015196021.tif 000003
【図２】
2015196021.tif 000004
【図３】
2015196021.tif 000005
【図４】
2015196021.tif 000006
【図５】
2015196021.tif 000007
【図６】
2015196021.tif 000008
【図７】
2015196021.tif 000009
【図８】
2015196021.tif 000010
【図９】
2015196021.tif 000011
【図１０】
2015196021.tif 000012
【図１１】
2015196021.tif 000013
【図１２】
2015196021.tif 000014
【図１３】
2015196021.tif 000015
【図１４】
2015196021.tif 000016
【図１５】
2015196021.tif 000017
【図１６】
2015196021.tif 000018
【図１７】
2015196021.tif 000019
【図１８】
2015196021.tif 000020
【図１９】
2015196021.tif 000021
【手続補正書】
【提出日】平成26年5月8日(2014.5.8)
【手続補正１】
【補正対象書類名】図面
【補正対象項目名】全図
【補正方法】変更
【補正の内容】
【図１】
2015196021.tif 000022
【図２】
2015196021.tif 000023
【図３】
2015196021.tif 000024
【図４】
2015196021.tif 000025
【図５】
2015196021.tif 000026
【図６】
2015196021.tif 000027
【図７】
2015196021.tif 000028
【図８】
2015196021.tif 000029
【図９】
2015196021.tif 000030
【図１０】
2015196021.tif 000031
【図１１】
2015196021.tif 000032
【図１２】
2015196021.tif 000033
【図１３】
2015196021.tif 000034
【図１４】
2015196021.tif 000035
【図１５】
2015196021.tif 000036
【図１６】
2015196021.tif 000037
【図１７】
2015196021.tif 000038
【図１８】
2015196021.tif 000039
【図１９】
2015196021.tif 000040